(57)【特許請求の範囲】
【請求項１】
溝型ガラスを屋外側と屋内側から互いに合わせて形成される略角筒状のガラスユニットを外装面に連続して立て並べて構築され、
前記屋外側の溝型ガラスは、対向する側壁部内壁面のそれぞれにほぼ全長に渡って接着固定されるとともに、屋内面側に配置されてガラスユニット上下端部の開放部を閉塞する外装支持部材を介して屋内側から建物躯体側に支持されるガラス外装構造。
【請求項２】
前記屋内側の溝型ガラスは屋外側の溝型ガラスよりも長手寸法が小寸にされ、
前記外装支持部材は、屋外側の溝型ガラスの側壁部内壁面のそれぞれにほぼ全長に渡って接着固定される略板状の接着固定部と、
該接着固定部に連結されて屋外側の溝型ガラスの屋内面側においてガラスユニット上下端部の開放部を閉塞するとともに、屋内側の溝型ガラスの上下端を挟持する略板状の閉塞部とを有する請求項１記載のガラス外装構造。
【請求項３】
前記外装支持部材は建物躯体側に揺動自在に連結される請求項１または２記載のガラス外装構造。
【請求項４】
前記ガラスユニットの下端近傍には屋外に開放する開放空間が形成され、該開放空間には、外気の吹き込みにより内部気圧を高めて雨水の過剰な浸入を防止する雨仕切手段が形成される請求項３記載のガラス外装構造。
【請求項５】
略角筒状のガラスユニットに支持部材を固定して形成され、
前記ガラスユニットは、一方の溝型ガラスの背面に長手寸法がより短寸の他方の溝型ガラスを合わせて形成され、
前記支持部材は、前記一方の溝型ガラスの側壁部内壁面のそれぞれにほぼ全長に渡って接着固定される接着固定部と、
該接着固定部に連結されて前記一方の溝型ガラスの背面側に配置され、ガラスユニット両端部の開放部を閉塞するとともに前記他方の溝型ガラスの両端を挟持する閉塞部とを有するガラス外装ユニット。
【発明の詳細な説明】
【技術分野】
【０００１】
本発明はガラス外装構造およびガラス外装ユニットに関するものである。
【背景技術】
【０００２】
従来、略角筒状のガラスユニットを外装面に連続して立て並べて構築されるガラス外装構造としては、特許文献１または２に記載されたものが知られている。いずれの従来例においても各ガラスユニットは断面二次モーメントの大きな断面コ字形状で同じ長さの溝型ガラス同士をシーリング材により向かい合わせに接合して形成され、ガラスユニット上下端の開放部は、特許文献１記載の第１の従来例においては各ガラスユニットの中空部に差し込まれるプラグにより、特許文献２記載の第２の従来例においては各ガラスユニットが嵌め込まれるサッシにより閉塞される。
【０００３】
これらのガラスユニットの建物躯体側への取り付けは、建物躯体側に適宜固定されて外装面に配置されるレール部材やサッシに対してガラスユニットの上下端部を連結することによってなされ、溝型ガラス同士を外装面に沿って向かい合わせ、また、このようにして形成されるガラスユニットを外装面に連続して並べることにより、溝型ガラス同士が離れる方向への移動を隣接するガラスユニット同士で押さえ込むことができ、ガラスユニットの中空部に挿入されるプラグをレール部材に対してボルト止めし、あるいはガラスユニットの端部を屋外・屋内方向の両方向から挟み込む断面コ字状のサッシに嵌め込むことにより、ガラスユニットの屋外・屋内方向への移動を規制することができる。また、このように溝型ガラスを外装面に横向きしてに並べることにより、個々の溝型ガラスの外装面への露出面積を小さくしてガラスユニットの風圧に対する耐久性が高められ、さらに、上記第１の従来例においては上下のプラグ間、すなわちガラスユニットの中空部に長手通しにロッドを架設し、上記第２の従来例においては、上記サッシと風圧により応力集中が生じる溝型ガラスのコーナー部近傍との間にゴム製の支持ブロックを介在させることにより、長尺の溝型ガラスを用いた場合の風圧に対する強度補強が図られる。
【０００４】
以上のように上下端の開放部を閉塞し、風圧に対する耐久性を高めた略角筒状のガラスユニットを外装面に連続して立て並べることにより、ガラス特有の採光性、審美性を備えた外装面を構築でき、ガラスユニットを円弧状に立て並べれば曲面からなる外装面をも容易に形成することができる上に、ガラスユニット内で閉塞された中空部により、採光性を損ねることなく断熱、遮音性能を発揮することができる。
【特許文献１】特開２００２-２９４９１１号公報
【特許文献２】特開２００４-１００３１７号公報
【発明の開示】
【発明が解決しようとする課題】
【０００５】
しかしながら、上述した第１、第２の従来例のように溝型ガラス同士を外装面に沿って合わせると、外装面には溝型ガラス同士を接合する部位、具体的にはシーリング材がガラスユニット毎に露出してしまい、これにより審美性が損ねられてしまうという欠点がある。
【０００６】
また、ガラスユニットを支持するレール部材やサッシの外装面への配置により審美性がさらに損ねられてしまう上に、これらレール部材等の屋外、屋内双方への露出によりヒートブリッジが生じ、断熱性能が低下してしまうという欠点がある。
【０００７】
さらに、上記第１の従来例のようにガラスユニットの中空部に長手通しにロッドを架設しても、風圧によって溝型ガラスの断面に作用する曲げモーメントに対してはプラグの嵌め込まれる長手方向上下端を中心にしか抵抗せず、サッシとの隙間を利用してガラスユニットの上下端に支持ブロックを配置する上記第２の従来例も同様であり、したがってこれら第１、第２の従来例は長手方向中心部の風圧に対する耐久性が低く、このため建物の受ける風圧等の立地環境条件によってはガラスユニットをあまり長尺にすることができないことから、デザイン設計の自由度が低いという欠点がある。
【０００８】
本発明は以上の欠点を解消すべくなされたものであって、審美性、断熱性、遮音性に優れ、かつ、デザイン設計の自由度を高めることができるガラス外装構造およびガラス外装ユニットの提供を目的とする。
【課題を解決するための手段】
【０００９】
本発明によれば上記目的は、
溝型ガラス１を屋外２側と屋内３側から互いに合わせて形成される略角筒状のガラスユニット４を外装面Ａに連続して立て並べて構築され、
前記屋外２側の溝型ガラス１Ａは、対向する側壁部内壁面５のそれぞれにほぼ全長に渡って接着固定されるとともに、屋内３面側に配置されてガラスユニット４上下端部の開放部６を閉塞する外装支持部材７を介して屋内３側から建物躯体８側に支持されるガラス外装構造を提供することにより達成される。
【００１０】
本発明によれば、各ガラスユニット４は溝型ガラス１を屋外２側と屋内３側から互いに合わせて略角筒状に形成され、このガラスユニット４を連続して立て並べることにより構築される外装面Ａは、溝型ガラス１、１同士の接合部分を隣接するガラスユニット４、４同士で隠して形成される。したがって外装面Ａにおけるガラスの露出面積をより大きくすることができ、審美性をより高めることができる。
【００１１】
溝型ガラス１は、図２および図３に示すように、帯状の平面部の両側縁から長手通しに側壁部をほぼ直交方向に立ち上げて断面コ字形状に形成される長尺体であり、対にして向かい合わせに組み付けることにより略角筒状のガラスユニット４を形成する。このような溝型ガラス１としては、例えば、商品名Ｐｒｏｆｉｌｉｔ（プロフィリット，ＢＡＵＧＬＡＳ  ＩＮＤＵＳＴＲＩＥ  ＧｍｂＨ社の登録商標）、または商品名リニット（Ｇｌａｓｆａｂｒｉｋ  ＬＡＭＢＥＲＴＳ  ＧｍｂＨ社製）を使用することができる。また、上述した溝型ガラス１、１同士の組み付けは、適宜のシーリング材等を用いることにより密閉性を高めて行うことが可能であり、このようなシーリング材としては、例えば、商品名ポリマーエース（信越ポリマー株式会社の登録商標）を使用することができる。さらに、上述したようにガラスユニット４を並べる場合には、ガラスユニット４、４間にこのようなシーリング材を介在させることにより、ガラスユニット４、４間の熱膨張の差などを吸収でき、外装面Ａの気密性を確保することができる。
【００１２】
ガラスユニット４の建物躯体８側への取り付けは建物躯体８側に適宜連結される外装支持部材７を介してなされ、この外装支持部材７によって筒状のガラスユニット４の上下端部の開放部６を閉塞することにより、ガラスユニット４の中空部に空気を閉じこめ、採光性にあまり影響を与えることなく密閉された空気により断熱、遮音層を形成することができる。このガラスユニット４の開放部６を閉塞する外装支持部材７の配置は屋外２側の溝型ガラス１Ａの屋内３面側にされ、したがって外装支持部材７は外装面Ａに露出することがなく、審美性を損ねたり、ヒートブリッジになってしまうことはない。
【００１３】
また、ガラスユニット４の建物躯体８側への取り付けに関し、とりわけ屋外２側に配置される溝型ガラス１Ａについて、対向する側壁部内壁面５、５にほぼ全長に渡って外装支持部材７をそれぞれ接着固定し、その内側、すなわち屋内３側から建物躯体８側に支持させることにより、上述したように断熱性や審美性を確保することができ、適宜の支持強度を確保することができる上に、ガラスユニット４の強度補強によるデザイン設計の自由度の向上が図られる。すなわち、屋外２側の溝型ガラス１Ａへの外装支持部材７の接着領域として側壁部内壁面５を利用することにより、上述同様、外装支持部材７の外装面Ａへの露出を防ぐことができ、ヒートブリッジの発生を防止することができる。また、外装支持部材７を側壁部内壁面５のそれぞれにほぼ全長に渡って接着することにより、上記溝型ガラス１Ａに対してその長さにかかわらず広い接着面積を確保でき、接着によってしっかりと支えることができ、ガラス破損時に破損片が飛散しない。
【００１４】
さらに、上記溝型ガラス１Ａの対向する側壁部内壁面５のそれぞれに固定される外装支持部材７は、例えば溝型ガラス１Ａの平面部について風圧によりその幅方向中央部を中心にして屋内３側に撓むように曲げモーメントが作用するときに、この曲げモーメントに連動して両側壁部についてその平面部寄りの端部を中心にして側壁部間を開く方向に撓むように作用する曲げモーメントに対し、各々の側壁部において抵抗し、これにより上記溝型ガラス１Ａの風圧による変形を有効に抑制してその強度を補強する。また、外装支持部材７が側壁部内壁面５のほぼ全長に渡って固定されることにより、上記溝型ガラス１の断面に作用する風圧に対してそのほぼ全長に渡って均一な補強を施すことができ、上記溝型ガラス１Ａの長尺化による強度低下を抑えることができる。加えて上記屋外２側の溝型ガラス１Ａは屋内３側の溝型ガラス１Ｂに背面を支えられて背面側への撓みが抑制される上に、例えば上述したように外装支持部材７によって横方向への変形も抑えられることから、外装支持部材７との接着を剥離する方向に力が容易に作用することはなく、接着による支持強度を良好に保つことができる。
【００１５】
このように外装支持部材７を外装面Ａに露出させることなく、屋外２側の溝型ガラス１をその変形を抑えて建物躯体８側にしっかりと支持することにより、反対側に位置する屋内３側の溝型ガラス１Ｂについては、例えばサッシ等溝型ガラス１の強度に悪影響を与えない適宜の手段により建物躯体８側に連結しても、そもそも審美性に影響がない上に風圧の作用による変形のおそれもなく、ヒートブリッジの発生についても外装支持部材７の外装面Ａへの露出防止により確保されることから、問題が生じることはない。
【００１６】
以上の外装支持部材７は、採光性を考慮すると、上記屋外２側の溝型ガラス１Ａの側壁部内壁面５のそれぞれに接着固定される略板状の接着固定部９と、該接着固定部９に連結されてガラスユニット４上下端部の開放部６、６を閉塞する略板状の閉塞部１０とを有して構成することが望ましい。この場合において、屋内３側の溝型ガラス１Ｂの長手寸法を屋外２側の溝型ガラス１Ａよりも小寸にすれば、上記閉塞部１０により上下端を挟持させて屋内３側の溝型ガラス１Ｂを支持することができる。
【００１７】
加えて、地震等によるガラスユニット４の損傷や該ガラスユニット４と外装支持部材７との接着の剥離を防止するためには、外装支持部材７を建物躯体８側に揺動自在に連結することが望ましく、また、このような外装支持部材７の縦方向の揺動スペースの確保や、外装面Ａに横並びするガラスユニット４、４間から雨水が進入してしまった場合、若しくはガラスユニット４を外装面Ａに縦方向にも並べた場合には縦並びするガラスユニット４、４間から雨水が進入してしまった場合における排水、並びにシーリング材の老朽化による交換の手間等を考慮すると、ガラスユニット４の下端近傍には屋外２に開放する開放空間１１を形成することが望ましい。この場合、風雨の吹き込みによる上記開放空間１１への雨水の過剰な進入を防止するために、開放空間１１には外気の吹き込みにより内部気圧を高めて雨水の進入を抑制する雨仕切手段１２を形成することが望ましい。雨仕切手段１２は、いわゆる等圧理論に基づき、外気の吹き込みにより雨水の過剰な進入を防止することのできる程度に適宜内部気圧を高めることができる適度の屋外２への開口面積、気密性、容積を備えた圧力の変動が比較的容易な空間により形成することが可能であり、この場合において適度の高さを備えた雨仕切壁を形成すれば、風雨の過剰な進入をより効率的に防止でき、進入した雨水の迅速な排水を行うことができる。
【００１８】
以上のガラス外装構造は、屋外２側の溝型ガラス１Ａを構成する一方の溝型ガラス１Ａと屋内３側の溝型ガラス１Ｂを構成する他方の溝型ガラス１Ｂとを組み付け、形成されたガラスユニット４に対して外装支持部材７を構成する支持部材７を固定して形成されるガラス外装ユニットを用いて構築することが可能で、この場合、
略角筒状のガラスユニット４に支持部材７を固定して形成され、
前記ガラスユニット４は、一方の溝型ガラス１Ａの背面に長手寸法がより短寸の他方の溝型ガラス１Ｂを合わせて形成され、
前記支持部材７は、前記一方の溝型ガラス１Ａの側壁部内壁面５のそれぞれにほぼ全長に渡って接着固定される接着固定部９と、
該接着固定部９に連結されて前記一方の溝型ガラス１Ａの背面側に配置され、ガラスユニット４両端部の開放部６、６を閉塞するとともに前記他方の溝型ガラス１の両端を挟持する閉塞部１０とを有してガラス外装ユニットを構成することにより、外装工事現場での施工を軽減して作業性を高めることができる。
【発明の効果】
【００１９】
以上の説明から明らかなように、本発明によれば、審美性、断熱性、遮音性に優れ、かつ、デザイン設計の自由度を高めることができるガラス外装構造およびガラス外装ユニットを提供することができ、意匠性、実用性に優れた外装により建築物の価値をより高めることができる。
【発明を実施するための最良の形態】
【００２０】
図１ないし図６に本発明の実施の形態を示す。この実施の形態は鉄筋コンクリート製の建物のワンフロアの側壁面をガラスの外装にしたものであり、図１および図４に示すように、当該フロアの側壁面をなす外装面Ａに沿ってガラス外装ユニット２１を連続して立て並べて構築される。このガラス外装ユニット２１を外装面Ａに支持するために、鉄筋コンクリートからなる建物躯体８を構成するフロアの天井構造部８ａと床構造部８ｂには、図１に示すようにアングル材２２を階段状に組み付けてそれぞれ躯体側支持部２３が形成され、この躯体側支持部２３により上下端部を支持されることによってガラス外装ユニット２１が外装面Ａに立設される。なお、図１においてフロアの床構造部８ｂはデザイン性等を考慮してガラス外装面Ａよりも特に屋外２側に突出して形成される。
【００２１】
各ガラス外装ユニット２１は、フロアの側壁面にほぼ近い高さ寸法の略筒状のガラスユニット４と、鋼材等適宜の高強度材料により形成される支持部材（外装支持部材）７とを有し、ガラスユニット４に支持部材７を取り付けて形成される。ガラス外装ユニット２１の外装面Ａへの支持は、支持部材７を上記躯体側支持部２３に連結することによりなされ、この連結により、略筒状のガラスユニット４が外装面Ａに立設される。
【００２２】
上記ガラスユニット４は、図２（ａ）や図３（ａ）に示すように、断面形状が同じ溝型ガラス１、１同士を向き合わせて接合することにより、断面がおよそロ字状で、上下端部に開放する開放部６、６を備えた略角筒状に形成される。上記溝型ガラス１は、帯状の平面部１ａの両側縁から長手通しに側壁部１ｂを立ち上げて形成される断面コ字形状の長尺体であり、平面部１ａの幅や側壁部１ｂの高さ等の寸法は要求される強度等の条件に応じて適宜決定することが可能であるが、この実施の形態においては、平面部１ａの幅が２６０ミリ程度、側壁部１ｂの高さが６０ミリ程度にされる。このためガラスユニット４の矩形枠状の断面は、溝型ガラス１の平面部１ａに対応する長辺と側壁部１ｂに対応する短辺がおよそ２：１程度の長さ割合に形成される。
【００２３】
また、上記ガラスユニット４を構成する溝型ガラスの一方１Ａはフロアの外装面Ａにおける高さ寸法にほぼ近い長さに形成され、他方１Ｂについてはフロアの内装面における高さ寸法にほぼ近い長さ、すなわち上記一方の溝型ガラス１Ａよりもやや短寸にされる。したがってこれら溝型ガラスの対１Ａ、１Ｂをそれぞれの長手方向ほぼ中央付近で組み付けることにより、形成されるガラスユニット４は、組み付けられる溝型ガラスの一方１Ａにより他方１Ｂを正面視において背面側に完全に隠した状態とされ、上記一方の溝型ガラス１Ａの背面上下端部、すなわち他方の溝型ガラス１Ｂの上下端には、上記一方の溝型ガラス１Ａの背面に他方の溝型ガラス１Ｂが合わせられないことによる切欠部２４が形成される。また、以上のガラスユニット４は、それぞれの溝型ガラス１Ａ、１Ｂの側壁部１ｂ先端面同士をシーリング材２５で接着固定して形成され、溝型ガラス１Ａ、１Ｂ同士の接合面の気密性が高められる。
【００２４】
支持部材７は、図２および図３に示すように、ガラスユニット４の内壁面に接着固定される接着固定部９と、ガラスユニット４の上下端部に配置されてそれぞれの開放部６を閉塞する閉塞部１０とを備え、ガラスユニット４の中空部４ａに挿入されて内壁面に接着固定されるインナーマリオン２６に対してガラスユニット４の開放部６に装着されるジョイントプレート２７を連結することにより形成される。上記インナーマリオン２６は、ガラスユニット４にその長手方向に沿って接着固定される略板状の接着固定部９の一端にジョイントプレート２７と連結するためのリブ２８を形成した略Ｌ字状の鋼材で、その幅寸法は、ガラスユニット４の上述した短辺よりもやや短い程度にされる。
【００２５】
また、上記接着固定部９の長さ寸法は、ジョイントプレート２７の配置や後述するガラス外装ユニット２１の強度等を考慮すると、上述した他方の溝型ガラス１Ｂ、すなわちガラスユニット４を構成する溝型ガラス１、１のうち長さが短い方の長さと同じ程度にすることが望ましいが、あまりにも長尺になってしまう場合には平らにすることが難しくなるためにガラスユニット４との密着性、接着性も悪くなくなるなどの問題も生じてしまう。このため、この実施の形態においては上記他方の溝型ガラス１Ｂのほぼ半分程度の長さにされ、ガラスユニット４の長手方向にインナーマリオン２６を対にして配置することによりそのほぼ全長をカバーする。
【００２６】
一方、ジョイントプレート２７は、上述したガラスユニット４の中空部４ａの長辺側の長さ寸法にほぼ等しい程度の幅寸法と、短辺側の長さ寸法よりやや長い程度の長さ寸法を備えて略矩形状に形成された板材であり、底面、すなわちガラスユニット４の中空部４ａに臨む面にインナーマリオン２６のリブ２８が当接され、このリブ２８にボルトナット２９によりボルト止めされてインナーマリオン２６に連結されることによって支持部材７の閉塞部１０を構成する。
【００２７】
さらに、上記支持部材７は、ガラスユニット４、より正確にはジョイントプレート２７を支持するユニットファスナ３０と、ガラス外装ユニット２１の取り付け位置の微調整のためのジャッキブロック３１とを備える。ユニットファスナ３０は、図２（ａ）に示すようにアングル材により形成され、ジョイントプレート２７に固定されて支持部材７のユニット側支持部を構成する。ユニットファスナ３０とジョイントプレート２７の連結は、ジョイントプレート２７の表面にユニットファスナ３０のいずれかの面を重ねて周縁を溶接することによってなされ、この際、図２（ａ）や図３（ａ）に示すようにジョイントプレート２７の先端がユニットファスナ３０の先端よりも上記一方の溝型ガラス１Ａ側に突出される。また、ジャッキブロック３１は、ジャッキボルト３２によるガラス外装ユニット２１の取り付け位置の微調整を可能にするためのジャッキボルト穴３１ａを備えた板材であり、ユニットファスナ３０に適宜溶接等により固定される。なお、図１等において３３は、インナーマリオン２６のジョイントプレート２７との連結部位を補強するための補強アングルである。
【００２８】
以上のガラス外装ユニット２１は、図２および図３に示すように、ガラスユニット４の短辺側の対向する内壁面のそれぞれに支持部材７の接着固定部９を接着固定することにより形成される。ガラスユニット４と支持部材７の接着固定は、上述したより長寸の一方の溝型ガラス１Ａの対向するそれぞれの側壁部１ｂ内壁面５に対し、その長手方向ほぼ全長に渡ってインナーマリオン２６の接着固定部９をそれぞれシーリング材２５により接着固定することによりなされる。このようにガラスユニット４の断面に対に配置されるほか、上述したようにガラスユニット４の長手方向に対しても対に配置されるインナーマリオン２６のそれぞれのリブ２８に連結されるジョイントプレート２７、すなわち支持部材７の閉塞部１０は、これによりガラスユニット４の上下端部の開放部６を塞ぐ位置に配置され、ジョイントプレート２７とガラスユニット４との隙間がシーリング材２５により埋められて密閉性が高められる。
【００２９】
したがってこれにより筒状のガラスユニット４中空部４ａ内には空気が封止され、密閉された空気の層からなる断熱、遮音層が形成される。同時に、ガラスユニット４の断面に対に配置されるインナーマリオン２６同士がジョイントプレート２７を介して連結されて上記一方の溝型ガラス１Ａのそれぞれの側壁部１ｂがインナーマリオン２６により補強され、ガラスユニット４の長辺側を押したときに生じる歪みにより短辺側、すなわち上述したより長寸の溝型ガラス１Ａの平面部１ａを押したときに側壁部１ｂ同士が屈曲して近接、離間することが防止される。さらに、ガラスユニット４の開放部６に配置されるジョイントプレート２７は、ガラスユニット４の短辺側の長さ寸法よりやや長い長さ寸法を備えることにより、上述したより短寸の他方の溝型ガラス１Ｂの上下端に被さり、当該溝型ガラス１Ｂの上下端を挟持する。なお、図３（ａ）に示すように、上記他方の溝型ガラス１Ｂの長手方向一端部とジョイントプレート２７との隙間には、上述したシーリング材２５に加えて適宜の圧縮強度を備えたセッティングブロック３４が介装される。
【００３０】
また、以上のガラス外装ユニット２１の外装面Ａへの取り付けは、上述したより長尺の一方の溝型ガラス１Ａを屋外２側に配置し、他方の溝型ガラス１Ｂを室内側に配置して外装面Ａにガラス外装ユニット２１を立て、この状態で躯体側支持部２３にユニットファスナ３０をボルトナット２９によりボルト止めすることによりなされる。図１に示すように、フロアの天井構造部８ａの躯体側支持部２３は、天井構造部８ａのコンクリートに埋設されるＨ鋼等の適宜の高強度部材３５に溶接固定されるアングル材２２に他のアングル材２２を溶接、あるいはボルト止めにより順次階段状に連結して形成され、先端のアングル材をさらにユニットファスナ３０に階段状にボルト止めしてガラス外装ユニット２１の上部を支持する。また、上記躯体側支持部２３のアングル材やユニットファスナ３０には適宜長穴からなるボルト穴３６が穿孔され、これによりアングル材２２、２２間等における相対移動が許容されて地震の振動を受けたときにはガラス外装ユニット２１の上部を揺動させ、ガラスユニット４の破損を防止する。
【００３１】
床構造部８ｂの躯体側支持部２３もほぼ同様であり、床構造部８ｂのコンクリートに打ち込まれるアンカーボルト３７により固定されるアングル材２２に対し、ユニットファスナ３０が長穴からなるボルト穴３６を介して階段状をなすようにボルト止めされる。このようにガラス外装ユニット２１の上下端部のそれぞれに揺動機構を設けることにより、ガラス外装ユニット２１の地震発生時における振動吸収がより効率的に行われ、多様な揺れに対する効率的な振動吸収が可能にされる。また、長尺のガラスユニット４の長手方向両端部における揺動のバランスをとるために、上記長穴からなるボルト穴３６により連結されるアングル材２２、２２間等には、図１に示すように円弧状のライナ３８が介装され、揺動方向にガラスユニット４がスムーズにガイドされて振動吸収性能がさらに高められる。さらに、ユニットファスナ３０の屋外２側寄りの先端がジョイントプレート２７の屋外２側寄りの先端よりも屋内３側に配置されることで、躯体側支持部２３により支持されたユニットファスナ３０によってジョイントプレート２７がいわゆる片持ち梁状に支持され、ジョイントプレート２７の撓みによる振動吸収効果も発揮される。加えて、ガラス外装ユニット２１の外装面Ａへの取り付けは、上述した長穴からなるボルト穴３６を介してボルトナット２９により天井構造部８ａおよび床構造部８ｂにガラス外装ユニット２１を仮止めした後、ガラス外装ユニット２１の下方に配置されるジャッキブロック３１へのジャッキボルト３２のねじ込み深さを調整することにより位置決めし、この後、上記ボルトナット２９を本締めすることにより行われ、これによりガラスユニット４への不要な応力の残留が防止される。なお、図１等において３９はフロアの室内の床面であり、４０は躯体側支持部２３に適宜取り付けられてこれを隠す膳板である。
【００３２】
また、以上のように外装面Ａに取り付けられたガラス外装ユニット２１は、図１に示すように、フロアの天井構造部８ａの屋外２側先端部とガラス外装ユニット２１の上端との間をシーリング材２５やバックアップ材４０等で適宜埋められ、さらに、ガラス外装ユニット２１の上面にやや被さるようにしてフラッシングプレート４１が取り付けられる。このフラッシングプレート４１は、シーリング材２５等の損耗により天井構造部８ａとガラス外装ユニット２１との間から万一雨水が進入してしまった場合にこの進入した雨水の排水を促すもので、薄板材を屋外２側に向かって斜め下方に傾斜させて形成される。このため、屋外２側に配置される上記一方の溝型ガラス１Ａの上面は、他方の溝型ガラス１Ｂから離れるに従ってその全長を短くする方向に傾斜する、すなわち屋外２側に向かって漸次低くなる傾斜面により構成され、フラッシングプレート４１を支えてその傾斜姿勢を安定して支持できるようにされる。
【００３３】
さらに、以上のようにして外装面Ａに立設される個々のガラス外装ユニット２１は、外装面Ａに沿って順次並べられることにより壁面を構築する。ガラス外装ユニット２１の横方向への並設は、図４に示すように隣接するガラス外装ユニット２１、２１間をバックアップ材４０、シーリング材２５等により適宜埋めながら行われ、ガラス外装ユニット２１、２１間からの雨水の進入が防止される。このようにして形成される壁面、すなわち外装面Ａは、ガラスユニット４の長辺側が露出することによりガラスの占める面積が非常に高く、極めて審美性を高めることができる。
【００３４】
また、上述したフラッシングプレート４１を越えて雨水が進入してしまった場合や、天井構造部８ａへの結露等によりガラス外装ユニット２１上面に水が進入してしまった場合の排水を考慮して、ガラス外装ユニット２１上面には堰４２が設けられ、上記シーリング材２５等により適宜埋められる隣接するガラス外装ユニット２１、２１間には、シリコン等の弾性材により形成される排水パイプ４３が挿入される。この排水パイプ４３はガラスユニット４の全長とほぼ同じ程度の長さを備え、ガラスユニット４の長手方向に沿うように上下方向に配置されて上記堰４２に塞き止められた水をガラスユニット４の上面から下面側へと移動させる。この排水パイプ４３により運ばれた雨水を屋外２側に排水するために、ガラス外装ユニット２１の下端近傍の床構造部８ｂには、屋外２側に向かって漸次低くなる底面を備えて屋外２に開放された空間により形成される開放部６が形成され、この開放部６には、いわゆる等圧理論を利用した雨仕切手段１２が形成される。
【００３５】
開放部６は、図５に示すように、屋外２側の溝型ガラス１Ａの溝内やガラスユニット４の切欠部２４のスペースを有効利用して形成され、その底面と屋外２側の溝型ガラス１Ａの下端との間に形成される微少な隙間を介して屋外２に開放し、排水パイプ４３から供給される水をここから屋外２に排出する。隣接するガラス外装ユニット２１、２１の下方のユニットファスナ３０間には、図４（ｂ）に示すようにフラッシング取付ベース４４が溶接等により適宜固定され、このフラッシング取付ベース４４により支持されるフラッシングプレート４１’によって形成される開放部６の上記底面により、排水パイプ４３下端から流れ出る水が開放部６の屋外２に開放する屋外２側の溝型ガラス１Ａとの隙間へとガイドされて屋外２へと排出される。なお、屋内３側の溝型ガラス１Ｂ下端とフラッシング取付ベース４４との間は図示されないシーリング材等により適宜シールされて屋内３側への水漏れが防止される。
【００３６】
雨仕切手段１２は、ガラス外装ユニット２１の切欠部２４のスペースに配置されてガラス外装ユニット２１の並設方向に伸びる断面略矩形の空間を形成するダクト状のケース部４５と、このケース部４５の屋外２側の溝型ガラス１Ａ側に開設され、屋外２に連通する開口部４６と、ケース内に立設される雨仕切壁４７とを有し、開口部４６からケース部４５内へと雨水が流れ込むような強雨時における雨水のケース部４５内への流入をケース部４５内の内部気圧の向上により雨風の吹き込み圧力との間に平衡状態を作り出すことによって防止する。ケース部４５は、強雨時において吹き込む雨風により、この雨風の吹き込みを妨げるように内部気圧を高めることができる程度の適宜の容積を備える。空気ダクトとして屋外２側のみならず屋内３側にも連通して形成することも可能であり、この場合にはケース部４５の密閉性の低下による漏気量や、空気ダクトが屈曲する場合には屈曲部による圧力損失などを考慮して適宜容積が決定される。
【００３７】
開口部４６は、上記ケース部４５の容積のほか、ガラス外装ユニット２１の立地環境条件、すなわち風雨の当たりやすさ等を考慮してその面積が決定され、また、雨仕切壁４７は内部圧の上昇時において雨水の吹き込みを一時的に適宜遮断できる程度の適宜の高さを備え、ケース部４５の底面から鉛直方向に立ち上がって形成される。したがって万一天井構造部８ａとガラス外装ユニット２１上端との間のシーリング材２５が損傷などしてガラス外装ユニット２１の上面等まで進水した場合にも、排水パイプ４３を経由してフラッシングプレート４１’によりガラス外装ユニット２１下端の開放空間１１から排水が促されることにより水の滞留が防止される。また、上記開放空間１１はガラス外装ユニット２１の揺動スペースとしても機能し、ガラス外装ユニット２１の比較的自由な揺動を確保するとともに、このように屋外２側に開放する開放空間１１を設けることにより、寿命によって適宜交換が必要なシーリング材２５の利用を少なくしてメンテナンス性を高めることができる。
【００３８】
なお、以上の実施の形態においてはガラスの外装を特定フロアの外装面Ａのみに形成する場合を示したが、図６に示すように上下のフロアに連続するようにガラス外装ユニット２１を高さ方向に並べることも可能であり、この場合にはより広い面積のガラスの外装によって採光性、審美性をさらに高めることができる。この場合において、図６に示すように、下側に配置されたガラス外装ユニット２１の上面にフラッシングプレート４１を逆向き、すなわち屋内３側に向かって低くなるように取り付けるとともに、その先端側に排水パイプ４３に連通する雨受け４８を設け、さらに、上側に配置された隣接するガラス外装ユニット２１間に挿入される排水パイプ４３から排出される排水を上記雨受け４８で受けるようにすれば、最下段のガラス外装ユニット２１の下方に開放部６を集約して形成することができる。また、上下のガラス外装ユニット２１は、例えば図６に示すように弾性変形可能なシーリング材２５等を接合することにより、揺動可能、かつ、外装面Ａへのガラス以外の露出面積の最小化を図ることができる。なお、図６において４９は鉄筋であり、また、上述した実施の形態と同一の構成要素は図中に同一の符号を付すことにより説明を省略する。
【図面の簡単な説明】
【００３９】
【図１】本発明を示す図で、要部縦断面図である。
【図２】ガラス外装ユニットを示す図で、（ａ）は縦断面図、（ｂ）は（ａ）の２Ｂ-２Ｂ線断面図である。
【図３】ガラス外装ユニットを示す図で、（ａ）は平面図、（ｂ）は図２（ｂ）の３Ｂ-３Ｂ線端断面図である。
【図４】本発明を示す図で、（ａ）はガラス外装ユニット上面側を示す要部平面図、（ｂ）はガラス外装ユニット下面側を示す要部平面図である。
【図５】ガラス外装ユニットの下部周辺の設置構造を示す図で、要部縦断面図である。
【図６】変形例を示す図で、要部縦断面図である。
【符号の説明】
【００４０】
１    溝型ガラス
１Ａ  屋外側の溝型ガラス
１Ｂ  屋内側の溝型ガラス
２    屋外
３    屋内
４    ガラスユニット
５    側壁部内壁面
６    開放部
７    外装支持部材
８    建物躯体
９    接着固定部
１０    閉塞部
１１    開放空間
１２    雨仕切手段
１３    支持部材
Ａ    外装面
【図１】
0004418792.tif 000002
【図２】
0004418792.tif 000003
【図３】
0004418792.tif 000004
【図４】
0004418792.tif 000005
【図５】
0004418792.tif 000006
【図６】
0004418792.tif 000007